(57)【要約】【課題】各ファイルについて削除処理或いは移動処理等があった場合でも、それらの処理から何ら制限を受けることなく、各ファイルのグループ化やプレイリスト等に対応した最適なデータ管理を行う。【解決手段】リンクカウンタコントローラ１１５は、記録媒体に記録される一又は複数のファイルを管理する際に、各ファイルに対するリンク数を夫々該当する管理ファイル内のリンクカウンタを用いて管理する。【選択図】  図１
2004362168.tif 000002
【特許請求の範囲】
【請求項１】
記録媒体に記録される一又は複数のデータを管理するためのデータ管理装置であって、
各データに対するリンク数を夫々該当する管理ファイル内のリンクカウンタを用いて管理するリンク管理手段を有し、
各管理ファイルは、リンク種別毎のリンクカウンタを備えることを特徴とするデータ管理装置。
【請求項２】
前記リンク管理手段は、各データのリンク数の変化に応じて該当する管理ファイル内のリンクカウンタを更新することを特徴とする請求項１に記載のデータ管理装置。
【請求項３】
管理ファイル及び当該管理ファイルに該当するデータを前記記録媒体内における同一フォルダ内に記録することを特徴とする請求項１又は２に記載のデータ管理装置。
【請求項４】
前記リンク種別毎のリンクカウンタとして、該当するデータの記録時のシステム情報を含むシステム情報カウンタ、該当するデータの属するグループ数を示すグループ数カウンタ、及び、該当するデータが連続再生されるデータの一部として指定されたプレイリストの数を示すプレイリスト数カウンタを含むことを特徴とする請求項１又は２に記載のデータ管理装置。
【請求項５】
前記該当するデータの記録時のシステム情報として、前記データの記録日時及び記録場所のうちの少なくとも何れか一つを含むことを特徴とする請求項４に記載のデータ管理装置。
【請求項６】
前記リンク管理手段は、前記該当するデータの属するグループ数が増加した場合には、その増加分だけグループ数カウンタを増加させ、前記該当するデータの属するグループ数が減少した場合には、その減少分だけグループ数カウンタを減少させることを特徴とする請求項４に記載のデータ管理装置。
【請求項７】
前記リンク管理手段は、前記該当するデータが再生指定されるプレイリスト数が増加した場合には、その増加分だけプレイリスト数カウンタを増加させ、前記該当するデータが再生指定されるプレイリスト数が減少した場合には、その減少分だけプレイリスト数カウンタを減少させることを特徴とする請求項４に記載のデータ管理装置。
【請求項８】
ゼロとなったリンクカウンタを削除するリンクカウンタ削除手段を更に有することを特徴とする請求項１又は４に記載のデータ管理装置。
【請求項９】
前記リンク管理手段は、データが削除された場合、前記データが削除済みであることを示す識別情報を該当する管理ファイル内に記録することを特徴とする請求項１に記載のデータ管理装置。
【請求項１０】
前記リンク管理手段は、グループ数カウンタ及びプレイリスト数カウンタがゼロとなった場合に、前記グループ数カウンタ及び前記プレイリスト数カウンタを含む管理ファイル及び当該管理ファイルを含むフォルダを削除することを特徴とする請求項４に記載のデータ管理装置。
【請求項１１】
前記リンク管理手段は、データが移動された場合、当該データが移動済みであることを示す識別情報を該当する管理ファイル内に記録することを特徴とする請求項１に記載のデータ管理装置。
【請求項１２】
前記管理ファイルは、ＸＭＬ（ｅｘｔｅｎｓｉｂｌｅ  Ｍａｒｋｕｐ  Ｌａｎｇｕａｇｅ）を含むテキストの形式で記述されることを特徴とする請求項１に記載のデータ管理装置。
【請求項１３】
記録媒体に記録される一又は複数のデータを管理するためのデータ管理装置によるデータ管理方法であって、
リンク管理手段が、各データに対するリンク数を夫々該当する管理ファイル内におけるリンク種別毎のリンクカウンタを用いて管理することを特徴とするデータ管理方法。
【請求項１４】
請求項１３に記載のデータ管理方法をコンピュータに実行させるためのプログラム。
【請求項１５】
請求項１４に記載のプログラムを記録したコンピュータ読み取り可能な記録媒体。
【発明の詳細な説明】
【０００１】
【発明の属する技術分野】
本発明は、記録媒体に記録される一又は複数のデータを管理するためのデータ管理装置、データ管理方法、プログラム及び記録媒体に関するものである。
【０００２】
【従来の技術】
現在、デジタルカメラで用いられるメモリカードやデジタルディスクカムコーダで用いられる光磁気ディスクなどのデータ記録媒体の容量は飛躍的に増大しており、動画、音声、静止画など多岐に渡るコンテンツを記録可能である。
【０００３】
従来のデジタルディスクカムコーダでは、一般的に一度の撮影（以下、録画開始から終了までをショットと称する）を１つのファイルとして扱い、メディアのランダムアクセス性を活かして、複数のファイルを任意の順番に選択して再生を行うための再生手順を記録したファイルを、一般的にプレイリストと呼んでいる。
【０００４】
また、このような装置では、メディアの大容量化によって、１枚のメディアが複数のユーザや複数の撮影用途によって使用されるために、カテゴリ分け（グループ分け）をして管理したいなどの要求がある。
【０００５】
図８に、上記プレイリストの一例を示す。
図８に示した例では、ディスクメディア０上に、全部で８つのショットがファイルとして記録され、記録順にファイル１、ファイル２・・・ファイル８となっているとする。プレイリスト１では、ファイル３、ファイル１、ファイル７、ファイル８の順に再生され、プレイリスト２では、ファイル１、ファイル６、ファイル３、ファイル４の順に再生されることを示している。
【０００６】
図９は、ファイルのグループ化の一例を示した図である。
ファイル１およびファイル２は、ユーザ１が撮影したものとしてグループ分けが行われ、ファイル３からファイル８までは、ユーザ２が撮影したものとしてグループ分けを行っている。
【０００７】
【発明が解決しようとする課題】
しかしながら、従来の方式では、異なった用途によって各記録済みコンテンツがリンクされている場合、その削除判定条件を決定し、また削除後においてグループ分けやプレイリスト情報との関係付けが難しいという問題があった。
【０００８】
図８の例を用いて説明すると、ファイル１およびファイル３は、プレイリスト１およびプレイリスト２の何れの再生手順にも含まれているので、各ファイルを直接削除すると、プレイリストに従って再生する場合に齟齬が生じてしまうという問題がある。
【０００９】
図９の例においては、例えば、ユーザ２が自分の所有する属性（グループ）となっているファイル（ファイル２〜ファイル８）を一括削除しようとすると、やはりその後のプレイリストからの参照に問題が生じてしまう。
【００１０】
本発明は、上記問題点に鑑みてなされたものであり、各ファイルについて削除処理或いは移動処理等があった場合でも、各ファイルを指定している例えばプレイリストやグループに関連した再生処理を破綻なく実行することを可能とするデータ管理装置、データ管理方法、プログラム及び記録媒体を提供することを目的とする。
【００１１】
【課題を解決するための手段】
斯かる目的を達成するために、本発明のデータ管理装置は、記録媒体に記録される一又は複数のデータを管理するためのデータ管理装置であって、各データに対するリンク数を夫々該当する管理ファイル内のリンクカウンタを用いて管理するリンク管理手段を有し、各管理ファイルは、リンク種別毎のリンクカウンタを備えることを特徴とする。
【００１２】
また、本発明のデータ管理方法は、記録媒体に記録される一又は複数のデータを管理するためのデータ管理装置によるデータ管理方法であって、リンク管理手段が、各データに対するリンク数を夫々該当する管理ファイル内におけるリンク種別毎のリンクカウンタを用いて管理することを特徴とする。
【００１３】
また、本発明のプログラムは、前記データ管理方法をコンピュータに実行させることを特徴とする。さらに、本発明のコンピュータ読み取り可能な記録媒体は、前記プログラムを記録したことを特徴とする。
【００１４】
【発明の実施の形態】
以下、本発明を適用した好適な実施形態を、添付図面を参照しながら詳細に説明する。
＜第１の実施形態＞
図１に、本発明の第１の実施形態に係るデジタルディスクカムコーダの構成を示す。
１０１は、ビデオ入力装置であり、ビデオ画像の入力を行う。１０２はオーディオ入力装置であり、マイクロフォン等によって構成してもよい。１０３はビデオエンコーダであり、入力ビデオ画像の符号化を行う。１０６はオーディオエンコーダであり、入力オーディオデータの符号化を行う。１０７はマルチプレクサであり、符号化されたビデオおよびオーディオデータの多重化と同期制御を行う。
【００１５】
１０９はディスクコントローラであり、ディスクの読み書きおよびフォーマットの制御を行う。１１２はディスク装置であり符号化済みのビデオ・オーディオデータを蓄積する。１１０は制御ユニットであり、全体の制御を行う。１１３は表示装置であり、装置の状態やモード、入力ビデオデータなどの表示を行う。なお、表示装置は複数具備することもある。以上で撮影機能が構成される。
【００１６】
次に、再生時の構成について記載する。１１１はショックプルーフメモリであり、ディスクから読み出されたデータを一時的に保存し、振動や衝撃によりディスクがアクセス不能になっている期間も読み出しデータを連続して供給できるようにしている。また、録画時には、振動によりディスクへの書き込みができない場合のバッファとしても使われることもある。
【００１７】
１０８はデマルチプレクサであり、符号化されたビデオおよびオーディオデータの逆多重化およびオーディオ・ビデオの再生同期制御を司る。１０４はビデオデコーダであり、符号化されたビデオデータの復号処理を行う。１０６はオーディオデコーダであり、符号化されたオーディオデータの復号処理を行う。復号処理されたビデオデータは１１３の表示装置上に再生される。１１４はスピーカ装置であり、復号処理されたオーディオデータの再生を行う。再生時の全体制御や、ユーザからの各種機能要求への対応は、録画時と同じく１１０の全体制御ユニットで行う。
【００１８】
また、他の実施形態として、ビデオおよびにオーディオの符号化処理および復号化処理、およびマルチプレクサ・デマルチプレクサを共通ユニットで処理してもよい。ビデオおよびにオーディオの符号化方式としては、ＭＰＥＧ  （Ｍｏｖｉｎｇ  Ｐｉｃｔｕｒｅ  Ｅｘｐｅｒｔ  Ｇｒｏｕｐ）で定められた各国際標準フォーマット（ＭＰＥＧ−２，  ＭＰＥＧ−４  など）を適用することができる。
【００１９】
また、ディスク装置１１２は記録媒体に対するランダムアクセスが可能であり、従来一般的であったテープメディア上での記録したコンテンツを記録順に沿って再生するだけではなく、コンテンツ順を入れ替えたランダム再生やカテゴリ分けなどのコンテンツ管理方法も可能である。
【００２０】
本実施形態では、図８あるいは図９の様に、各ファイルを指定しているプレイリストや種々のグループの状態を示すリンクカウンタという情報を用いてファイルを管理している。そして、このリンクカウンタを含む管理ファイルを作成し、コンテンツファイルと共にディスク１１２に記録する。
【００２１】
１１５は、リンクカウンタコントローラであり、内部は、リンクカウンタ読み出しユニット、リンクカウンタ解析ユニット、リンクカウンタ更新ユニットより構成される。以下、このような構成において、リンクカウンタがどのように使用されるかの具体例を示す。
【００２２】
本実施形態の管理対象となる各々のファイルにつき、システムリンクカウンタ、グループリンクカウンタ、プレイリストリンクカウンタが管理ファイル内において設定される。
【００２３】
システムリンクカウンタとは、撮影日付や季節による分類、撮影条件による分類、撮影場所による分類など、撮影時に自動的に発生する条件である。各々の条件に合致するカウント数がシステムリンクカウンタにセットされている。
【００２４】
一般に、日付情報は必ず存在しえるものであるので、最低でも各ファイルのシステムリンクカウントは１となる。ただし、システムの日付がセットされていないような例外的な場合は、この条件に当てはまらずシステムリンクカウンタがゼロになることもありうるので、このような場合にもシステムリンクカウンタが有効である。
【００２５】
グループリンクカウンタとは、各ファイルが属するグループ数である。図９の例でいえば、ファイル１〜８は各々１つのユーザグループに属するので、全てのファイル１〜８について１が設定される。
【００２６】
プレイリストリンクカウンタとは、各ファイルが属するプレイリストの数である。図８の例でいえば、ファイル１およびファイル３についてのプレイリストリンクカウンタには２が設定され、その他のファイルについては１が設定される。この状態を初期状態とする。
【００２７】
ここで、例えば、ファイル３をユーザグループ１から除くような処理をしたい場合は、ファイル３についてセットされたグループリンクカウンタを１だけ減じ０とする。
【００２８】
また、同様にファイル３をプレイリスト２から除きたい処理をしたい場合は、ファイル３についてセットされたプレイリストリンクカウンタから１を減じ、その結果、プレイリストリンクカウンタは１となる。
【００２９】
このような処理をすることにより、各リンクカウンタを減じたのち、結果がゼロかどうかを判定することで、各ファイルが現在、システム、グループ、あるいはプレイリストから参照されているか否かの判定をすることが可能になる。
【００３０】
次に、ファイル３を削除あるいは移動する場合を考える。ファイル３をそのまま削除・あるいは移動をしてしまうと、その後に、システムリスト、グループリスト、あるいはプレイリストから参照されたときに、ファイル３は既に存在しないため齟齬が生じてしまう。この場合、本実施形態では、ファイル３の管理ファイル内に、リンクカウンタのほかに、削除あるいは移動済みであることを示すフラグ情報を付加する。
【００３１】
具体的には、ファイルが実際に記録メディアから削除された場合には、そのファイルにつき削除フラグをセットし、他の位置に暫定的に移動された場合には、当該ファイルにつき移動フラグのセットを行う。このとき、管理ファイルを包含するフォルダの削除は行われない。また、リンクカウンタの値の制御も行わず、削除・あるいは移動前の値に保持される。その後、プレイリストから削除済みのファイルを参照する場合について説明する。
【００３２】
本実施形態では、まず管理ファイルの中から削除・移動済みフラグを検出し、もしセットされていれば、そのファイルについては再生不能であるので、プレイリストからファイルを自動で削除するか、あるいは、ファイルが存在しないことをユーザへ警告する。プレイリストからの参照自体を削除する運用を適用する場合には、該当ファイルのプレイリストカウンタから１を減じる。
【００３３】
このような作業を繰り返したのち、当該ファイルについて全てのグループおよびプレイリストからのリンクが削除された場合には、グループリンクカウンタ、および、プレイリストリンクカウンタともに０となる。この場合は、削除・移動されたファイルは今後、グループリスト或いはプレイリストから参照されることはなくなるので、リンクカウンタ、フラグ情報を記録した管理ファイルとその管理ファイルを包含するフォルダも削除可能になる。
【００３４】
システムリンクカウンタについては、アプリケーションに依存するが、一般に撮影時に自動でセットされるものであり、ファイル削除後に参照されるものでなければこれを無視してフォルダ全体の削除が可能になる。ただし、一例として、日付ごとの撮影状況の統計を採りたいというようなアプリケーションの場合（この場合、記録ファイル自体の有無は不問になり管理情報だけが必要である）は、システムリンクカウンタの値も考慮して、フォルダ削除の有無を決定することも可能である。
【００３５】
このようにリンクカウンタコントローラ１１５は、管理ファイルから現在のリンクカウントを検知し、読み出すリンクカウンタ読み出しユニット、管理ファイル内部の情報を解析するリンクカウンタ解析ユニット、リンクカウンタの増減を行うリンクカウンタ更新ユニットからなり、以上説明したように、適宜、リンクカウンタの読み出し、解析（ゼロ判定）、更新（インクリメント、ディクリメント、或いはリンクカウンタ削除）等を行う。
【００３６】
１１６はファイル・フォルダ削除コントローラであり、実際のファイルの削除と、リンクカウンタコントローラ１１５で更新されたリンクカウンタ条件を考慮し、削除・移動フラグのセット、あるいは、フォルダ全体の削除制御を行い、最終的にはディスクコントローラへ各フォルダおよびファイルの削除命令を発行する。
【００３７】
なお、本実施形態では、ファイルおよびフォルダの生成ユニットについては説明を行っていないが、これは従来の記録時の制御と同等であるので割愛した。
【００３８】
次に、図２〜図５を参照しながら、本実施形態におけるリンクカウンタ制御の具体例を説明する。
本実施形態では、ＸＭＬによって記述された管理ファイルを用いている。＜ＣＯＬＬＥＣＴＩＯＮ＞タグは、管理対象の区切りを示しており、動画属性を示す＜ＭＯＶ＞タグ中に、実際のファイルパス（”ｍｏｖ０００００．ｍｐｇ”）の指定と、複数の属性情報が付加されている。図２の＜ＭＯＶ＞タグ中には、
ＳＹＳＴＥＭ＿ＬＩＮＫ＿ＣＯＵＮＴ  ＝  ’１’
ＧＲＯＵＰ＿ＬＩＮＫ＿ＣＯＵＮＴ  ＝  ’１’
ＰＬＦ＿ＬＩＮＫ＿ＣＯＵＮＴ  ＝  ’２’
の記述が初期値として存在し、各々、“ＳＹＳＴＥＭ＿ＬＩＮＫ＿ＣＯＵＮＴ”はシステムリンクカウンタ、“ＧＲＯＵＰ＿ＬＩＮＫ＿ＣＯＵＮＴ”はグループリンクカウンタ、“ＰＬＦ＿ＬＩＮＫ＿ＣＯＵＮＴ”はプレイリストリンクカウンタ指定の記述に相当する。
【００３９】
この例では、図８でのファイル３の例を示し、ファイル３が１つのグループに属し、２つのプレイリストからリンクされていると解釈できる。ここで、ファイル３の削除が行われると、図３のようにＳＴＡＴＥ＝’Ｄ’の記述が追加されファイル３は実際にディスク上から削除される（ただし、管理ファイルは削除されない）。今後、ファイル３が参照された場合は、ＳＴＡＴＥ＝’Ｄ’記述を検知することにより、ファイル３自体にはアクセス不能であることが判定できる。
【００４０】
その後、既存グループからの除外処理が行われると、図４のように“ＧＲＯＵＰ＿ＬＩＮＫ＿ＣＯＵＮＴ”はゼロとなる。”ＧＲＯＵＰ＿ＬＩＮＫ＿ＣＯＵＮＴ  ＝  ’０’”  の記載は、明示的には必要ない（記載がない場合は０と判断する）ので“ＧＲＯＵＰ＿ＬＩＮＫ＿ＣＯＵＮＴ”を削除することが可能である。ここでさらに、全てのプレイリストからの参照がなくなった状態を示す図５では、“ＰＬＦ＿ＬＩＮＫ＿ＣＯＵＮＴ”はゼロとなるので、この記述も不要となる。この時点で初めてファイル３はどこからも参照されなくなり、管理ファイルを含めたフォルダ一括を消去することが可能になる。
【００４１】
このようにＸＭＬ言語で記述した場合は、１つのタグ内に全てのリンクカウント情報を記述可能であるので（ただし、必ずしも１つのタグ内に記載する必要はない）、この文脈を解析するＸＭＬパーサが必要である。リンクカウントコントローラ内のリンクカウンタ解析ユニットがこの処理を行う。
【００４２】
図６及び図７は、本実施形態におけるリンクカウンタ制御の流れを示したフローチャートである。
図６及び図７では、プレイリストのみからのリンクが行われている例を示している（よって、ＧＲＯＵＰ＿ＬＩＮＫ＿ＣＯＵＮＴ＝’０’として暗示される）。ただし、ＸＭＬのパース手順については特に言及しない。
【００４３】
図６に示されるように、削除指示があると（Ｓ１）、管理ファイル内の全てのリンクカウンタがチェックされ、プレイリストカウンタが０のときは（Ｓ２）、そのまま削除し（Ｓ４）、プレイリストカウンタが０でないときは（Ｓ２）、削除情報である’Ｄ’記述が付加される（Ｓ３）。
【００４４】
続いて、図７に示されるように、その後、プレイリストからの参照指示があると（Ｓ１１）、プレイリストから削除ファイルへのリンク情報が削除され、プレイリストからファイルを参照しないようにプレイリストの更新が行われ、また必要に応じて、プレイリストに齟齬が生じたゆえユーザに警告が発せられる（Ｓ１２）。
【００４５】
ここで、プレイリストカウンタの判定が行われ（Ｓ１３）、１より大きい値である場合にはリンクカウントから１減じられる（Ｓ１４）。一方、１であった場合には、プレイリストカウントが０になるので、プレイリストカウント記述の削除が行われ（Ｓ１５）、プレイリストカウンタ以外の参照がないことを確認した場合には（Ｓ１６）、フォルダの削除が行われる（Ｓ１７）。
【００４６】
なお、上記実施形態の実現には、図１０で示すごとく、記録データごとにフォルダ（あるいはディレクトリ）を構成し、その中に全ての関連ファイルが設置される方式をとることにより容易に実現可能である。
【００４７】
＜第２の実施形態＞
本発明の第２の実施形態に係るデジタルディスクカムコーダの構成も図１に示した構成と同様であるため、その説明は省略する。上記第１の実施形態においては、削除状態を示すＳＴＡＴＥ＝’Ｄ’という記載を追加して、ファイルの削除状態を示したが、本実施形態による方式は、各ファイルが一時的な移動が行われたような場合にも適用可能である。この場合、ＳＴＡＴＥ＝’Ｍ’のような記述が可能である。具体的には、”ゴミ箱”のような、『実ファイルは存在しているが、削除されようとしている、ただし復元は可能な状態』を示す場合、図１１のように、移動済み識別情報および移動先を、
ＳＴＡＴＥ＝’Ｍ’  （ＭはＭｏｖｅを示す）及びＭＯＶＥＤ  ＝  ”移動先フォルダ名”
のような記述追加を行うことにより、そのファイルの状態と移動先を指定することができ、リンク参照時の制御に活用できる。
【００４８】
具体的には、参照された場合に元フォルダに復帰させるか（この場合、再移動後にＳＴＡＴＥ  および  ＭＯＶＥＤ記述を削除する）、実際に削除するか（この場合、データファイルおよびＭＯＶＥＤの記述は削除され、ＳＴＡＴＥは’Ｄ’の記述に変更される）の選択をユーザに示すことが可能になる。
【００４９】
尚、本発明の目的は、前述の実施形態の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成される。
【００５０】
この場合、記憶媒体から読み出されたプログラムコード自体が第１〜第２の実施形態の機能を実現することとなり、そのプログラムコードを記憶した記憶媒体及び当該プログラムコードは本発明を構成することとなる。
【００５１】
プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
【００５２】
又、コンピュータが読みだしたプログラムコードを実行することにより、前述の実施形態の機能が実現されるだけでなく、そのプログラムコードの指示に基づき、コンピュータ上で稼動しているＯＳ等が実際の処理の一部又は全部を行い、その処理によって各実施形態の機能が実現される場合も含まれる。
【００５３】
更に、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって前述の実施形態の機能が実現される場合も含まれる。
【００５４】
上記実施形態によれば、各コンテンツに、複数の管理情報からの独立したリンク数カウンタを設けることによって、記録媒体上での各コンテンツの自由なグループ化やプレイリストに対応した最適なコンテンツ管理を可能とする。
【００５５】
【発明の効果】
本発明によれば、記録媒体に記録される各データに対するリンク数を、夫々該当する管理ファイル内におけるリンク種別毎のリンクカウンタを用いて管理可能としたので、各データについて削除処理或いは移動処理等があった場合でも、各データを指定している例えばプレイリストやグループに関連した再生処理を破綻なく実行することができる。
【図面の簡単な説明】
【図１】本発明の一実施形態に係るデジタルディスクカムコーダの構成を示した図である。
【図２】本発明の一実施形態におけるリンクカウンタ制御の具体例を説明するための図である。
【図３】本発明の一実施形態におけるリンクカウンタ制御の具体例を説明するための図である。
【図４】本発明の一実施形態におけるリンクカウンタ制御の具体例を説明するための図である。
【図５】本発明の一実施形態におけるリンクカウンタ制御の具体例を説明するための図である。
【図６】本発明の一実施形態におけるリンクカウンタ制御の流れを示したフローチャートである。
【図７】本発明の一実施形態におけるリンクカウンタ制御の流れを示したフローチャートである。
【図８】プレイリストの一例を示した図である。
【図９】ファイルのグループ化の一例を示した図である。
【図１０】メディア内のフォルダ構成を示した図である。
【図１１】本発明の他の実施形態におけるリンクカウンタ制御の具体例を説明するための図である。
【符号の説明】
１０１  ビデオ入力装置
１０２  マイクロフォン
１０３  ビデオエンコーダ
１０４  ビデオデコーダ
１０５  オーディオエンコーダ
１０６  オーディオデコーダ
１０７  マルチプレクサ
１０８  デマルチプレクサ
１０９  ディスクコントローラ
１１０  制御ユニット
１１１  ショックプルーフメモリ
１１２  ディスクメディア
１１３  表示装置
１１４  スピーカ
１１５  リンクカウンタコントローラ
１１６  ファイル・フォルダ削除コントローラ
【図１】
2004362168.tif 000003
【図２】
2004362168.tif 000004
【図３】
2004362168.tif 000005
【図４】
2004362168.tif 000006
【図５】
2004362168.tif 000007
【図６】
2004362168.tif 000008
【図７】
2004362168.tif 000009
【図８】
2004362168.tif 000010
【図９】
2004362168.tif 000011
【図１０】
2004362168.tif 000012
【図１１】
2004362168.tif 000013